(57)【要約】【課題】  本考案は、使用者が着座することで、骨盤の矯正だけでなく、臀部及び腰部近傍の筋肉の緊張を解すことにより、使用者が座位姿勢で長時間過ごしても疲労感のない着座用シートを提供する。【解決手段】  臀部に包み込むように湾曲して形成された着座部２ａ及び腰部を包み込むように湾曲して形成された背凭れ部２ｂを有するシート本体２と、当該シート本体２の着座部２ａに内蔵され、使用者が着座した際、使用者の坐骨近傍に対応する位置に設けられる一対の臀部エアバッグ３と、前記シート本体２の背凭れ部２ｂに内蔵され、使用者が着座した際、使用者の腰部に対応する位置に設けられる一対の腰部エアバッグ４と、前記各エアバッグにエアの給排気を行う給排気手段５とからなる。【選択図】図１
0003192705.tif 000002
【実用新案登録請求の範囲】
【請求項１】
臀部に包み込むように湾曲して形成された着座部及び腰部を包み込むように湾曲して形成された背凭れ部を有するシート本体と、
当該シート本体の着座部に内蔵され、使用者が着座した際、使用者の坐骨近傍に対応する位置に設けられる一対の臀部エアバッグと、
前記シート本体の背凭れ部に内蔵され、使用者が着座した際、使用者の腰部に対応する位置に設けられる一対の腰部エアバッグと、
前記各エアバッグにエアの給排気を行う給排気手段とからなることを特徴とする着座用シート。
【請求項２】
前記シート本体の厚みは、５ｍｍ〜３０ｍｍの範囲内でほぼ均一の厚さに形成されていることを特徴とする請求項１に記載の着座用シート。
【請求項３】
前記シート本体の着座部は、前記背凭れ部よりも使用者の身体と接する面の面積が広くなるように形成されていることを特徴とする請求項１又は２のいずれかに記載の着座用シート。
【請求項４】
前記一対の臀部エアバッグ及び一対の腰部エアバッグは、蛇腹状に形成されるとともに、着座部及び背凭れ部の中央側一辺が非膨縮に固定され、扇形状に膨縮することを特徴とする請求項１乃至３のいずれかに記載の着座用シート。
【請求項５】
前記一対の臀部エアバッグは、前記一対の腰部エアバッグよりも大きいサイズで形成されていることを特徴とする請求項１乃至４のいずれかにに記載の着座用シート。
【請求項６】
前記着座部及び背凭れ部は、当該着座部及び背凭れ部の接続箇所から折畳み可能に形成されていることを特徴とする請求項１乃至５のいずれかに記載の着座用シート。
【考案の詳細な説明】
【技術分野】
【０００１】
本考案は、使用者が座位姿勢で長時間過ごしても疲労感のない着座用シートに関する。
【背景技術】
【０００２】
通常、人が椅子等に着座して上半身を起こした際には、臀部、特に左右の坐骨近傍に上半身全体の負荷が掛かるため、当該箇所に集中して疲労が蓄積する。これは、座位姿勢の時、骨盤周辺の筋肉に集中して負荷が掛かる状態が継続することで、左右の坐骨近傍の血流を阻害して老廃物が蓄積されることを原因としている。また、椅子等に着座した際、使用者が上半身を長時間起こしておくには腰部にも負担が掛かるため、腰部近傍の筋肉が硬直して腰痛の原因にもなる。これに対し、人は、座位姿勢のまま臀部を浮かせたり、態々立ち上がって腰部を回す運動をしたりすることで、血行を促進し、また、筋肉の硬直を緩和することにより、座位姿勢による疲労の蓄積を緩和又は解消している。
【０００３】
そのため、継続して座位姿勢をとる自動車の運転中に臀部を浮かせるなどの動作をすると安全運転を阻害し、また、態々停車して腰部を回す運動をするのは手間である。また、同様に継続して座位姿勢ととる事務作業中に、このような動作や運動を行うのは、作業効率を低下させてしまう。
【０００４】
さらに、車椅子での生活を余儀なくされている身体障害者又は高齢者等は、車椅子又は家具用椅子等に着座中、自身で血行促進のための体位変換ができないため、臀部に床ずれ（褥瘡）が発生してしまうという問題もある。
【０００５】
このような座位姿勢による疲労の蓄積等に対し、椅子等の着座面に敷設する着座用シート又は座布団としては、従来、以下のようなものが提供されている。
【０００６】
例えば、背凭れ部と着座部を有し、当該着座部に内蔵された一対のサイドフレームによって臀部を挟持し、当該一対のサイドフレームによって骨盤を引き締めることにより、骨盤矯正することのできる骨盤クッションが提供されている（特許文献１）。
【０００７】
また、使用者の臀部を載置するクッション体に一対のエアバッグを内蔵させ、当該一対のエアバッグを膨張及び収縮させることにより、使用者が立ったり座ったりする動作を繰り返すことなく、座ったままの状態で硬直した筋肉を効果的に解すことができるとともに、歪んだ骨盤を効果的に矯正することのできる骨盤矯正装置が提供されている（特許文献２）。
【先行技術文献】
【特許文献】
【０００８】
【特許文献１】実用新案登録第３１７４５１０号公報
【特許文献２】特開２００６−６８４０８号公報
【考案の概要】
【考案が解決しようとする課題】
【０００９】
しかしながら、特許文献１に記載の骨盤クッションは、一対のサイドフレームによって臀部を左右から挟持することにより、臀部の筋肉を引き締めて、使用者の骨盤矯正及び臀部の血行促進を図ることができるものの、当該サイドフレームが金属製のパイプ等で構成されているため、当該金属製パイプの先端等で集中的に臀部を押圧できても、使用者夫々の臀部の形状に応じた柔軟な刺激を臀部及び腰部に与えることができず、また、使用者の坐骨を適切に押圧できるとは限らないという問題があった。
【００１０】
また、特許文献２に記載の骨盤矯正装置は、左右のエアバッグによって臀部の坐骨近傍の筋肉を解すことはできるものの、腰部近傍の筋肉の緊張を解すことができず、座位姿勢において負担の大きい腰部に対するケアがなく、腰痛の防止又は改善を期待できないという問題があった。
【００１１】
そこで、本考案は、使用者が着座することで、骨盤の矯正だけでなく、臀部及び腰部近傍の筋肉の緊張を解すことにより、使用者が座位姿勢で長時間過ごしても疲労感のない着座用シートを提供することを課題とする。
【課題を解決するための手段】
【００１２】
上記課題を解決するために、本考案は次のように構成した。すなわち、本考案に係る請求項１に記載の着座用シートは、臀部を包み込むように湾曲して形成された着座部及び腰部を包み込むように湾曲して形成された背凭れ部を有するシート本体と、当該シート本体の着座部に内蔵され、使用者が着座した際、使用者の坐骨近傍に対応する位置に設けられる一対の臀部エアバッグと、前記シート本体の背凭れ部に内蔵され、使用者が着座した際、使用者の腰部に対応する位置に設けられる一対の腰部エアバッグと、前記各エアバッグにエアの給排気を行う給排気手段とからなることを特徴としている。
【００１３】
また、前記請求項２に記載の着座用シートは、前記シート本体の厚みが、５ｍｍ〜３０ｍｍの範囲内でほぼ均一の厚さに形成されていることを特徴としている。
【００１４】
また、請求項３に記載の着座用シートは、前記シート本体の着座部が、前記背凭れ部よりも使用者の身体と接する面の面積が広くなるように形成されていることを特徴としている。
【００１５】
また、請求項４に記載の着座用シートは、前記一対の臀部エアバッグ及び一対の腰部エアバッグが、蛇腹状に形成されるとともに、着座部及び背凭れ部の中央側一辺が非膨縮に固定され、扇形状に膨縮することを特徴としている。
【００１６】
また、請求項５に記載の着座用シートは、前記一対の臀部エアバッグが、前記一対の腰部エアバッグよりも大きいサイズで形成されていることを特徴としている。
【００１７】
さらに、請求項６に記載の着座用シートは、前記着座部及び背凭れ部が当該着座部及び背凭れ部の接続箇所から折畳み可能に形成されていることを特徴としている。
【考案の効果】
【００１８】
本考案に係る請求項１に記載の着座用シートによれば、着座部及び背凭れ部に設けた一対の臀部エアバッグ及び一対の腰部エアバッグが膨縮することにより、臀部及び腰部近傍の筋肉を解して血行を促進することができるため、使用者が疲労を感じることなく、長時間座位姿勢を維持することができ、使用者の仕事又は作業等の効率化を図ることができる。また、湾曲形状の着座部に臀部を包み込むように着座することにより、使用者はバランスを取ろうと身体を動作させるため、骨盤矯正の効果をも得ることができる。すなわち、前記一対の臀部エアバッグ及び一対の腰部エアバッグの膨縮により、腰痛等の疾患の懸念することなく、長時間座位姿勢を維持することができることから、効率的に骨盤矯正を行うことができる。
【００１９】
また、請求項２に記載の着座用シートによれば、前記シート本体の厚みが５ｍｍ〜３０ｍｍの薄手で形成されることにより、軽く、持運びが容易で、当該着座用シートを自動車のシート等に載置して用いることができる。また、当該シート本体をほぼ均一の厚みで形成したことにより、当該臀部エアバッグ及び腰部エアバッグによる使用者身体部位への押圧にムラが生じることなく、快適に座位姿勢を維持することができる。
【００２０】
また、請求項３に記載の着座用シートによれば、背凭れ部に比べて十分広い面積の着座部で使用者の臀部を包み込み、腰部よりも上半身全体の負荷が掛かる臀部を安定させることにより  使用者の座位姿勢を安定して維持させることができる。また、当該背凭れ部は、座位姿勢時に、一対の腰部エアバッグによる押圧が可能であればよいのであって、当該背凭れ部を着座部よりも小さく形成したことにより、着座用シート全体がコンパクトになり、自動車シート又は仕事用のチェア等に載置するのが容易となる。
【００２１】
また、請求項４に記載の着座用シートによれば、前記一対の臀部エアバッグ及び一対の腰部エアバッグが、蛇腹状に形成されるとともに、着座部及び背凭れ部の中央側一辺が非膨縮に固定され、扇形状に膨縮することにより、使用者身体の内側方向に押圧することができ、使用者の臀部の両サイドから挟み込むように押圧することで、より効率的に血行の促進を図ることができる。
【００２２】
また、請求項５に記載の着座用シートによれば、一対の臀部エアバッグを一対の腰部エアバッグよりも大きいサイズで形成したことにより、腰部よりも容易且つ重点的に坐骨近傍を押圧することができ、腰部よりも上半身の負荷が集中的に掛かる坐骨近傍の老廃物の蓄積の防止を効率的に行うことができる。
【００２３】
さらに、請求項６に記載の着座用シートによれば、前記着座部及び背凭れ部を折畳み可能に形成したことにより、携帯しての持運び又は不使用時の収納等が容易になる。
【図面の簡単な説明】
【００２４】
【図１】本考案に係る着座用シートを示す外観斜視図である。
【図２】当該着座用シートを示す左側面図である。
【図３】当該着座用シートを示す断面図である。
【図４】当該着座用シートの内部構造を示す外観斜視図である。
【図５】当該着座用シートの内部構造を示す図である。
【図６】当該着座用シートの使用状態を示す背面図である。
【図７】当該着座用シートの使用状態を示す図である。
【考案を実施するための形態】
【００２５】
以下、図面に基づいて本考案を具体的に説明する。まず、図１は、本考案に係る着座用シート１を示す外観斜視図であり、図２は、当該着座用シート１を示す左側面図である。当該着座用シート１は、使用者の臀部が包接される着座部２ａ及び当該着座部２ａに接続されて使用者の腰部が包接される背凭れ部２ｂからなるシート本体２と、前記着座部２ａの左右に内蔵された一対の臀部エアバッグ３と、前記背凭れ部２ｂの左右に内蔵された一対の腰部エアバッグ４と、当該一対の臀部エアバッグ３及び一対の腰部エアバッグ４にエアを給排気して膨縮させる給排気手段５とから構成されている。図２に示すように、着座部２ａ及び背凭れ部２ｂは、臀部及び腰部を包み込むように湾曲して形成されており、使用者が着座時に臀部及び腰部にフィット感を得ることができる態様に形成されている。このようなシート本体２の湾曲形状は、使用者が着座した際に、臀部の坐骨に集中する負荷を軽減する効果をも有する。
【００２６】
なお、前記給排気手段５は、詳細には図示しないが、前記一対の臀部エアバッグ３及び一対の腰部エアバッグ４にエアを給排気するためのエアポンプ、吸排気ホース、制御手段等から構成される。当該制御手段によってエアを給排気する時間間隔等を制御し、前記一対の臀部エアバッグ３及び一対の腰部エアバッグ４に適切に給排気できればどのような態様であってもよい。
【００２７】
図３は、前記着座用シート１のうち、シート本体２及び一対の臀部エアバッグ３の一を示す断面図である。前記シート本体２は、板状の芯材２ｃの全体にクッション性素材２ｄを貼付し、これらをカバー２ｅで被覆して構成されている。また、臀部エアバッグ３を設ける箇所には、クッション性素材２ｄを貼付せず、当該クッション性素材２ｄを芯材２ｃの上面に直接貼付して収納するように構成されている。
【００２８】
当該シート本体２のうち、板状の芯材２ｃは、ポリプロピレン又はポリオキシメチレンを素材として形成され、通気性の向上及び軽量化を図るべく一定の間隔で孔が設けられている（図示せず）。また、前記クッション性素材２ｄは、ポリウレタン又はポリエステルを素材として形成され、使用者の臀部及び腰部にフィット感を得ることができるように形成されている。さらに、前記カバー２ｅは、前記一対の臀部エアバッグ３及び一対の腰部エアバッグ４の膨縮に対応すべく、ジャージ生地等の伸縮性素材により形成されている。また、当該シート本体２全体の厚みは、５〜３０ｍｍの薄手で均一の厚みに形成されている。
【００２９】
図４は、当該着座用シート１の内部構造（前記カバー２ｅを取り外した状態）を示す外観斜視図であり、前記図３でも示したように、前記一対の臀部エアバッグ３は、ＴＰＵ（熱可塑性ポリウレタン）等の素材を蛇腹状に形成してなり、着座部２ａに左右一対で設けられている。また、当該一対の臀部エアバッグ３は、夫々下面のみが芯材２ｃの表面に固設されている。一方、一対の腰部エアバッグ４は、前記一対の腰部エアバッグ３と同様に、蛇腹状に形成され、背凭れ部２ｂの左右に、一対設けられている。また、カバー２ｅを取り外したシート本体２の表面は、一対の臀部エアバッグ３及び一対の腰部エアバッグ４を固設した箇所を除き、ほぼ全体が前記クッション素材２ｄで覆われている。
【００３０】
図５は、着座用シート１の内部構造を示す図であり、一対の臀部エアバッグ３及び一対の腰部エアバッグ４が膨張した状態を表示するものである。当該一対の臀部エアバッグ３及び一対の腰部エアバッグ４は、給排気手段５から供給されたエアによって膨張する。また、一対の臀部エアバッグ３及び一対の腰部エアバッグ４は、着座用シート１の中央側一辺の蛇腹が開かないよう非膨縮で芯材２ｃに固定されているため、当該中央側一辺が扇の要となって扇形状に開くにように形成されている。
【００３１】
図６は、当該着座用シート１の使用状態を示す背面図であり、図中に一点鎖線で示した部分は、使用者の臀部及び背中を示す。図示のように、一対の臀部エアバッグ３は、夫々内側方向（矢印Ａ方向）に使用者の臀部、特に坐骨近傍を押圧し、臀部の筋肉の緊張を解して血行を促進する。また、一対の腰部エアバッグ４も、夫々内側方向（矢印Ｂ方向）に使用者の腰部を押圧し、腰部の筋肉の緊張を解して血行を促進する。これにより、スムーズに血液を循環させることができ、臀部及び腰部近傍に老廃物が蓄積することを防止又は緩和することができる。また、前記の通り、着座部２ａが使用者の臀部を包み込むように湾曲して形成されているため、使用者は、矢印Ｃ方向に揺らぐ着座部２ａに対してバランスを取ろうと身体を動作させるため、骨盤矯正の効果をも得ることができる。
【００３２】
このように、前記着座部２ａ及び背凭れ部２ｂの湾曲形状により、座位姿勢による上半身全体の臀部及び腰部への負荷を軽減するとともに、一対の臀部エアバッグ３及び一対の腰部エアバッグ４が膨縮を繰り返すことにより、臀部及び腰部での血行を促進することができるため、使用者は疲労を感じることなく、長時間座位姿勢を維持することができ、使用者が座位姿勢で行う仕事又は作業等の効率化等を図ることができる。このように、前記一対の臀部エアバッグ３及び一対の腰部エアバッグ４の膨縮により、筋肉の緊張を解して健康を促進することができ、腰痛等の疾患の懸念することなく、長時間座位姿勢を維持することができることから、上記骨盤矯正の動作を長時間行うことができ、効率的に骨盤矯正を行うことができる。
【００３３】
次に、図７は、当該着座用シート１の使用状態を示す図である。当該着座用シート１は、自動車シート６に載置されている。このように、自動車シート６等に載置して当該着座用シート１を使用すると、運転時に腰を浮かす等の動きをすることなく、適切な着座姿勢を維持することができるため、自動車の運転が快適になるだけでなく、安全運転にも寄与することができる。また、上記の通り、当該着座用シート１は、コンパクトで厚さ５〜３０ｍｍの薄手に形成されているため、持運びが容易であり、自動車シート６に載置してもスペースを取らないため快適に使用することができる。
【００３４】
また、図示はしないが、仕事用にチェアに使用すれば、使用者の嗜好に応じて適宜一対の臀部エアバッグ３及び一対の腰部エアバッグ４を膨縮させることにより、長時間デスクに着座することができるため、仕事の効率化を図ることができる。
【００３５】
また、着座用シート１は、各図で示した着座用シートの形状のように、着座部３及び背凭れ部４の接続箇所が当該着座部３及び背凭れ部４よりも幅狭に形成され、前記シート本体２の芯材２ｂが可撓性を有するポリプロピレン又はポリオキシメチレン等の合成樹脂素材で形成されることにより、当該着座部３及び背凭れ部４の使用者の身体と接する面を合わせるようにして、容易に折畳むことができるように形成されている。これにより、携帯しての持運びが容易になり、また、不使用時にはコンパクトに収納することができる。なお、このように着座部３及び背凭れ部４を折畳む手段としては、着座部３及び背凭れ部４を蝶番を介して接続する等、どのような手段を用いて折畳み可能に形成してもよい。
【００３６】
また、車椅子での生活を余儀なくされている身体障害者又は高齢者等は、車椅子又は家具用椅子等に当該着座用シート１を載置して着座すれば、前記一対の臀部エアバッグ３によって臀部、特に坐骨近傍を押圧させることにより、臀部の血行を促進させることができるため、自身で体位変換をせずとも、床ずれ（褥瘡）の発生を防止することができる。
【産業上の利用可能性】
【００３７】
本考案に係る着座用シート１は、一対の臀部エアバッグ３又は一対の腰部エアバッグ４の設置位置を着座部２ａ又は背凭れ部２ｂの範囲内で適宜変更することもできる。
【符号の説明】
【００３８】
１    着座シート
２    シート本体
２ａ  着座部
２ｂ  背凭れ部
２ｃ  芯材
２ｄ  クッション性素材
２ｅ  カバー
３    一対の臀部エアバッグ
４    一対の腰部エアバッグ
５    給排気手段
６    自動車シート
【図１】
0003192705.tif 000003
【図２】
0003192705.tif 000004
【図３】
0003192705.tif 000005
【図４】
0003192705.tif 000006
【図５】
0003192705.tif 000007
【図６】
0003192705.tif 000008
【図７】
0003192705.tif 000009